(57)【要約】【課題】本発明は、省スペースで、係止部分が外れることもない組立函を提供する。【解決手段】底面板（１０）の周辺に、左右に第一製函片（２３、２３）を有し、上辺に第一押さえ板（２２、２２）を有する第一側面内板（２１、２１）を連設した前後の第一側面板（２０、２０）と左右の第二側面板（３０、３０）とを各々連設し、該側面板（２０、２０）と該側面板（３０、３０）との間に、斜めの谷折り線（ｄ、ｄ）により２分された第二製函片（２４、２４）を各々連設して、前記製函片（２３、２３）と前記側面内板（２１、２１）との連設部および前記側面内板（２１、２１）と前記押さえ板（２２、２２）との連設部に係止片（ｂ）を各々設け、前記側面板（３０、３０）および前記底面板（１０）の前後方向の両端部に係止用折り目線（ｃ）を各々設けたことを特徴とする組立函。【選択図】図１
2005206172.tif 000002
【特許請求の範囲】
【請求項１】
底面板の周辺に、左右に第一製函片を有し、上辺に第一押さえ板を有する第一側面内板を連設した前後の第一側面板と左右の第二側面板とを折り目線を介して各々連設して、この前後の第一側面板と左右の第二側面板との間に、斜めの谷折り線により２分された第二製函片を折り目線を介して各々連設して、この第二製函片を函の内方になるように谷折りして起立させるとともに前後の第一側面板と第一側面内板との間に各々折り込み、前記第一側面内板の左右の第一製函片を外側に折り曲げて、左右の第二側面板に各々当接し、前記前後の第一側面内板の上辺の第一押さえ板を外側に折り曲げて、底面板に各々当接し、上面を開放した組立函において、前記第一製函片と前記前後の第一側面内板との連設部および前記前後の第一側面内板と前記前後の第一押さえ板との連設部に係止片を各々設け、前記左右の第二側面板および前記底面板の前後方向の両端部に前記係止片を係止する係止用折り目線を各々設けたことを特徴とする組立函。
【請求項２】
請求項１記載の組立函において、前記左右の第二側面板の内、いずれか一方の第二側面板の端縁に折り目線を介して、左右に第一フラップ片と、先端に第二フラップ片を有する天面板を連設して、前記左右の第二側面板の内、前記天面板と連設していない第二側面板の長手方向端縁中央部に凹部を設け、該天面板と前記第二フラップ片との連設部に係止突起を設けて、連続面として形成された蓋部を有することを特徴とする組立函。
【請求項３】
請求項１記載の組立函において、前記左右の第二側面板の内、いずれか一方の第二側面板の端縁に折り目線を介して天面板を連設し、該天面板の上辺に左右に第三製函片を有し、先端に第二押さえ板を有する第二側面内板を折り目線を介して連設した第三側面板と左右の第四側面板とを折り目線を介して各々連設して、前記第三側面板と前記左右の第四側面板との間に、斜めの谷折り線により２分された第四製函片を折り目線を介して各々連設して、前記左右の第三製函片と前記第二側面内板との連設部および該第二側面内板と前記第二押さえ板との連設部に係止片を各々設け、前記第四製函片と前記第四側面板とを連設している折り目線に沿って該第四側面板側の端部および前記第三側面板と前記天面板とを連設している折り目線に沿って該天面板側の端部に前記係止片を係止する係止用折り目線を各々設けて、連続面として形成された蓋部を有することを特徴とする組立函。
【発明の詳細な説明】
【技術分野】
【０００１】
本発明は、商品を包装する身と蓋用の組立函に関するものであり、さらに詳しくは、省スペースでコストが安く、簡単に組み立てができ、また組み立てた際の折込み部分の跳ね上がりを防止することによって、輸送中の振動や展示、販売中の取り扱いなどで係止部分が外れることもない贈答用商品などの包装に使用する身と蓋用の組立函に関するものである。
【背景技術】
【０００２】
従来、贈答用商品などの包装に使用する身と蓋用の組立函は、図７に示すように、底面板（１０）の周辺に、上辺に第一押さえ板（２２、２２）を有する第一側面内板（２１、２１）を連設した前後の第一側面板（２０、２０）と、上辺に第三押さえ板（３２、３２）を有する第三側面内板（３１、３１）を連設した左右の第二側面板（３０、３０）とを折り目線を介して各々連設して、この前後の第一側面板（２０、２０）と左右の第二側面板（３０、３０）との間に、斜めの谷折り線（ｄ、ｄ、ｄ、ｄ）により２分された第二製函片（２４、２４、２４、２４）を折り目線を介して各々連設して、連続面として形成されたブランクａを作製し、このブランクａの第二製函片（２４、２４、２４、２４）を函の内方になるように谷折りして起立させるとともに前後の第一側面板（２０、２０）と第一側面内板（２１、２１）との間に各々折り込み、前記前後の第一側面内板（２１、２１）上辺の第一押さえ板（２２、２２）を外側に折り曲げて底面板（１０）に各々当接し、前記左右の第三側面内板（３１、３１）上辺の第三押さえ板（３２、３２）を外側に折り曲げて底面板（１０）に各々当接し、上面を開放した組立函が一般的に使用されている。
【０００３】
また、その他の形状としての組立函は、図８に示すように、底面板（１０）の周辺に、左右に第一製函片（２３、２３、２３、２３）を有し、上辺に第一押さえ板（２２、２２）を有する第一側面内板（２１、２１）を連設した前後の第一側面板（２０、２０）と上辺に糊代片（３３、３３）を有する左右の第二側面板（３０、３０）とを折り目線を介して各々連設して、この前後の第一側面板（２０、２０）と左右の第二側面板（３０、３０）との間に、斜めの谷折り線（ｄ、ｄ、ｄ、ｄ）により２分された第二製函片（２４、２４、２４、２４）を折り目線を介して各々連設して、連続面として形成されたブランクａを作製し、このブランクａの前記糊代片（３３、３３）に糊を塗布して糊塗布層ｅを各々設け、該糊代片（３３、３３）を内側に折り曲げて、左右の第二側面板（３０、３０）に重ね合せて各々接着してから、このブランクａの第二製函片（２４、２４、２４、２４）を函の内方になるように谷折りして起立させるとともに前後の第一側面板（２０、２０）と第一側面内板（２１、２１）との間に各々折り込み、前記前後の第一側面内板（２１、２１）上辺の第一押さえ板（２２、２２）を外側に折り曲げて底面板（１０）に各々当接し、前記第一側面内板（２１、２１）の左右の第一製函片（２３、２３、２３、２３）を外側に折り曲げて、左右の第二側面板（３０、３０）に重ね合せられている糊代片（３３、３３）に各々当接し、上面を開放した組立函である。
【発明の開示】
【発明が解決しようとする課題】
【０００４】
これらの組立函は、複雑であるために組み立てにかなりの手間を必要とし、生産コストが高くなり、また１枚のブランクの使用面積も大きく、材料コストも高くなる。
【０００５】
また、両側面の糊貼りを行う場合には、その糊貼りを別工程で行う必要があるため生産コストがますます高くなる問題がある。
【０００６】
本発明は、このような従来技術の問題点を解決しようとするものであり、省スペースでコストが安く、簡単に組み立てができ、また組み立てた際の折込み部分の跳ね上がりが防止されているので輸送中の振動や展示、販売中の取り扱いなどで係止部分が外れることもない贈答用商品などの包装に使用する身と蓋用の組立函を提供することを目的とする。
【課題を解決するための手段】
【０００７】
本発明は、上記の課題を解決するために成されたものであり、本発明の請求項１に係る発明は、底面板（１０）の周辺に、左右に第一製函片（２３、２３、２３、２３）を有し、上辺に第一押さえ板（２２、２２）を有する第一側面内板（２１、２１）を連設した前後の第一側面板（２０、２０）と左右の第二側面板（３０、３０）とを折り目線を介して各々連設して、この前後の第一側面板（２０、２０）と左右の第二側面板（３０、３０）との間に、斜めの谷折り線（ｄ、ｄ、ｄ、ｄ）により２分された第二製函片（２４、２４、２４、２４）を折り目線を介して各々連設して、この第二製函片（２４、２４、２４、２４）を函の内方になるように谷折りして起立させるとともに前後の第一側面板（２０、２０）と第一側面内板（２１、２１）との間に各々折り込み、前記第一側面内板（２１、２１）の左右の第一製函片（２３、２３、２３、２３）を外側に折り曲げて、左右の第二側面板（３０、３０）に各々当接し、前記前後の第一側面内板（２１、２１）の上辺の第一押さえ板（２２、２２）を外側に折り曲げて、底面板（１０）に各々当接し、上面を開放した組立函において、前記第一製函片（２３、２３、２３、２３）と前記前後の第一側面内板（２１、２１）との連設部および前記前後の第一側面内板（２１、２１）と前記前後の第一押さえ板（２２、２２）との連設部に係止片（ｂ）を各々設け、前記左右の第二側面板（３０、３０）および前記底面板（１０）の前後方向の両端部に前記係止片（ｂ）を係止する係止用折り目線（ｃ）を各々設けたことを特徴とする組立函である。
【０００８】
本発明の請求項２に係る発明は、請求項１記載の組立函において、前記左右の第二側面板（３０、３０）の内、いずれか一方の第二側面板（３０）の端縁に折り目線を介して、左右に第一フラップ片（４１、４１）と、先端に第二フラップ片（４２）を有する天面板（４０）を連設して、前記左右の第二側面板（３０、３０）の内、前記天面板（４０）と連設していない第二側面板（３０）の長手方向端縁中央部に凹部（ｆ）を設け、該天面板（４０）と前記第二フラップ片（４２）との連設部に係止突起（ｇ）を設けて、連続面として形成された蓋部を有することを特徴とする組立函である。
【０００９】
本発明の請求項３に係る発明は、請求項１記載の組立函において、前記左右の第二側面板（３０、３０）の内、いずれか一方の第二側面板（３０）の端縁に折り目線を介して天面板（５０）を連設し、該天面板（５０）の上辺に左右に第三製函片（６３、６３）を有し、先端に第二押さえ板（６２）を有する第二側面内板（６１）を折り目線を介して連設した第三側面板（６０）と左右の第四側面板（５１、５１）とを折り目線を介して各々連設して、前記第三側面板（６０）と前記左右の第四側面板（５１、５１）との間に、斜めの谷折り線（ｄ、ｄ）により２分された第四製函片（５２、５２）を折り目線を介して各々連設して、前記左右の第三製函片（６３、６３）と前記第二側面内板（６１）との連設部および該第二側面内板（６１）と前記第二押さえ板（６２）との連設部に係止片（ｂ）を各々設け、前記第四製函片（５２、５２）と前記第四側面板（５１、５１）とを連設している折り目線に沿って該第四側面板（５１、５１）側の端部および前記第三側面板（６０）と前記天面板（５０）とを連設している折り目線に沿って該天面板（５０）側の端部に前記係止片（ｂ）を係止する係止用折り目線（ｃ）を各々設けて、連続面として形成された蓋部を有することを特徴とする組立函である。
【発明の効果】
【００１０】
本発明は、底面板の周辺に、左右に第一製函片を有し、上辺に第一押さえ板を有する第一側面内板を連設した前後の第一側面板と左右の第二側面板とを折り目線を介して各々連
設して、この前後の第一側面板と左右の第二側面板との間に、斜めの谷折り線により２分された第二製函片を折り目線を介して各々連設して、この第二製函片を函の内方になるように谷折りして起立させるとともに前後の第一側面板と第一側面内板との間に各々折り込み、前記第一側面内板の左右の第一製函片を外側に折り曲げて、左右の第二側面板に各々当接し、前記前後の第一側面内板の上辺の第一押さえ板を外側に折り曲げて、底面板に各々当接し、上面を開放した組立函において、前記第一製函片と前記前後の第一側面内板との連設部および前記前後の第一側面内板と前記前後の第一押さえ板との連設部に係止片を各々設け、前記左右の第二側面板および前記底面板の前後方向の両端部に前記係止片を係止する係止用折り目線を各々設けたことにより、省スペースでコストが安く、簡単に組み立てができ、また組み立てた際の折込み部分の跳ね上がりが防止されているので輸送中の振動や展示、販売中の取り扱いなどで係止部分が外れることもない贈答用商品などの包装に使用する身と蓋用の組立函を提供することができるものである。
【発明を実施するための最良の形態】
【００１１】
本発明の実施の形態を図１から図６に基づいて詳細に説明する。
【００１２】
図１は本発明に係る組立函のブランクの１実施例を示す平面図であり、図２は本発明に係る組立函の１実施例を示す斜視図であり、図３は本発明に係る組立函の第一製函片（２３）と前後の第一側面内板（２１）との連設部に設けられた係止片（ｂ）と左右の第二側面板（３０）の前後方向の両端部に設けられた係止用折り目線（ｃ）との係止状態を示す部分拡大断面図であり、図４は本発明に係る組立函の前後の第一側面内板（２１）と前後の第一押さえ板（２２）との連設部に設けられた係止片（ｂ）と底面板（１０）の前後方向の両端部に設けられた係止用折り目線（ｃ）との係止状態を示す部分拡大断面図であり、図５は本発明に係る組立函のブランクの他の実施例を示す平面図であり、図６は本発明に係る組立函のブランクのまた他の実施例を示す平面図である。
【００１３】
本発明の組立函のブランクａは、図１に示すように、底面板（１０）の周辺に、左右に第一製函片（２３、２３、２３、２３）を有し、上辺に第一押さえ板（２２、２２）を有する第一側面内板（２１、２１）が連設された前後の第一側面板（２０、２０）と左右の第二側面板（３０、３０）とが折り目線を介して各々連設されている。
【００１４】
次に、この前後の第一側面板（２０、２０）と左右の第二側面板（３０、３０）との間に、斜めの谷折り線（ｄ、ｄ、ｄ、ｄ）により２分された第二製函片（２４、２４、２４、２４）が折り目線を介して各々連設されている。
【００１５】
次に、前記第一製函片（２３、２３、２３、２３）と前記前後の第一側面内板（２１、２１）との連設部に係止片（ｂ）が各々設けられている。
【００１６】
同様に、前記前後の第一側面内板（２１、２１）と前記前後の第一押さえ板（２２、２２）との連設部に係止片（ｂ）が各々設けられている。
【００１７】
次に、前記左右の第二側面板（３０、３０）および前記底面板（１０）の前後方向の両端部に前記係止片（ｂ）を係止する係止用折り目線（ｃ）が各々設けられている。
【００１８】
このようなブランクａを、図２に示すように、第一側面内板（２１、２１）の左右の第一製函片（２３、２３、２３、２３）を外側に折り曲げて、左右の第二側面板（３０、３０）に当接することにより、折り曲げた紙の反発力から該第一製函片（２３、２３、２３、２３）の裏面と該第二側面板（３０、３０）の裏面同士が当接し密着する力が働き、組立函の形状にはなるが、密着力だけで該形状を保持することは不完全である。
【００１９】
そこで本発明は、組み立てた函の折込み部分の跳ね上がりを完全に防止するために前述したように、前記第一製函片（２３、２３、２３、２３）と前記前後の第一側面内板（２１、２１）との連設部および前記前後の第一側面内板（２１、２１）と前記前後の第一押さえ板（２２、２２）との連設部に係止片（ｂ）を各々設ける。
【００２０】
さらに、ブランクａを組み立てたときに前記第一製函片（２３、２３、２３、２３）と前記前後の第一側面内板（２１、２１）との連設部および前記前後の第一側面内板（２１、２１）と前記前後の第一押さえ板（２２、２２）との連設部に設けられた係止片（ｂ）と係止することができる係止用折り目線（ｃ）を前記左右の第二側面板（３０、３０）および前記底面板（１０）の前後方向の両端部に各々設けている。
【００２１】
図３に示すように、この係止片（ｂ）と係止用折り目線（ｃ）とが当接し密着することにより、該係止用折り目線（ｃ）が土手となり、該係止片（ｂ）がつっかえ棒の役割を果たし、組み立てた函の折込み部分のズレをなくし、跳ね上がりを防止する働きをしている。
【００２２】
同様に、図４に示すように、前後の第一側面内板（２１、２１）と前後の第一押さえ板（２２、２２）との連設部に係止片（ｂ）を各々設け、底面板（１０）の前後方向の両端部に前記係止片（ｂ）を係止する係止用折り目線（ｃ）を各々設けることにより組み立てた函の折込み部分の跳ね上がりを完全に防止することができる。
【００２３】
この係止片（ｂ）と係止用折り目線（ｃ）を設ける方法は、一般的に紙器加工に使用されている切れ刃と罫線刃（折り目線を設ける押し刃）を埋め込んだ表抜き抜型を使用することができる。
【００２４】
したがって、特に特別な装置を用意することもないし、また作業工程も従来と全く同様に行うことができる。
【００２５】
一般的に、紙器加工に使用されている抜型は、雄型と雌型から構成されており、雄型は合板に函の形状に合せて、レーザー切断装置で溝を切り込み、紙に折り目線（折り罫線）をつける罫線刃と切断する切刃を植え込んである。
【００２６】
一方の雌型は、鉄板（面板またはカッティングプレートと呼ぶ）上に、堅い紙であるプレスボードを貼り付け、罫線刃の当たる部分に溝を作製する。
【００２７】
このような抜型を平板打抜機に取り付け、この平板打抜機の雄・雌の抜型の間にあらかじめ印刷された紙を送り込み、平圧式で加圧して打ち抜きを行い、切刃による切断と罫線刃による折り目線（折り罫線）を同時に加工して、所定の寸法・形状のブランクａを作製するのが一般的である。
【００２８】
組立函の材質は、コートボール、マニラボールなどの板紙、該板紙にポリエチレンなどの合成樹脂やアルミニウム箔などを貼合したラミネート板紙、マイクロフルート、Ｅフルートなどの段ボール、ポリプロピレン樹脂、アクリル樹脂などの合成樹脂シートを適宜使用することができる。
【００２９】
以上のように、本発明は、底面板（１０）の周辺に、左右に第一製函片（２３、２３、２３、２３）を有し、上辺に第一押さえ板（２２、２２）を有する第一側面内板（２１、２１）を連設した前後の第一側面板（２０、２０）と左右の第二側面板（３０、３０）とを折り目線を介して各々連設して、この前後の第一側面板（２０、２０）と左右の第二側面板（３０、３０）との間に、斜めの谷折り線（ｄ、ｄ、ｄ、ｄ）により２分された第二
製函片（２４、２４、２４、２４）を折り目線を介して各々連設して、この第二製函片（２４、２４、２４、２４）を函の内方になるように谷折りして起立させるとともに前後の第一側面板（２０、２０）と第一側面内板（２１、２１）との間に各々折り込み、前記第一側面内板（２１、２１）の左右の第一製函片（２３、２３、２３、２３）を外側に折り曲げて、左右の第二側面板（３０、３０）に各々当接し、前記前後の第一側面内板（２１、２１）の上辺の第一押さえ板（２２、２２）を外側に折り曲げて、底面板（１０）に各々当接し、上面を開放した組立函において、前記第一製函片（２３、２３、２３、２３）と前記前後の第一側面内板（２１、２１）との連設部および前記前後の第一側面内板（２１、２１）と前記前後の第一押さえ板（２２、２２）との連設部に係止片（ｂ）を各々設け、前記左右の第二側面板（３０、３０）および前記底面板（１０）の前後方向の両端部に前記係止片（ｂ）を係止する係止用折り目線（ｃ）を各々設けることにより、省スペースでコストが安く、簡単に組み立てができ、また組み立てた際の折込み部分の跳ね上がりが防止されているので輸送中の振動や展示、販売中の取り扱いなどで係止部分が外れることもない贈答用商品などの包装に使用する身と蓋用の組立函を提供することができるものである。
【００３０】
次に、応用例として、図５に示すように、底面板（１０）の周辺に、左右に第一製函片（２３、２３、２３、２３）を有し、上辺に第一押さえ板（２２、２２）を有する第一側面内板（２１、２１）を連設した前後の第一側面板（２０、２０）と左右の第二側面板（３０、３０）とを折り目線を介して各々連設して、この前後の第一側面板（２０、２０）と左右の第二側面板（３０、３０）との間に、斜めの谷折り線（ｄ、ｄ、ｄ、ｄ）により２分された第二製函片（２４、２４、２４、２４）を折り目線を介して各々連設して、この第二製函片（２４、２４、２４、２４）を函の内方になるように谷折りして起立させるとともに前後の第一側面板（２０、２０）と第一側面内板（２１、２１）との間に各々折り込み、前記第一側面内板（２１、２１）の左右の第一製函片（２３、２３、２３、２３）を外側に折り曲げて、左右の第二側面板（３０、３０）に各々当接し、前記前後の第一側面内板（２１、２１）の上辺の第一押さえ板（２２、２２）を外側に折り曲げて、底面板（１０）に各々当接し、上面を開放した組立函において、前記第一製函片（２３、２３、２３、２３）と前記前後の第一側面内板（２１、２１）との連設部および前記前後の第一側面内板（２１、２１）と前記前後の第一押さえ板（２２、２２）との連設部に係止片（ｂ）を各々設け、前記左右の第二側面板（３０、３０）および前記底面板（１０）の前後方向の両端部に前記係止片（ｂ）を係止する係止用折り目線（ｃ）を各々設けてなる身の部分と前記左右の第二側面板（３０、３０）の内、いずれか一方の第二側面板（３０）の端縁に折り目線を介して、左右に第一フラップ片（４１、４１）と、先端に第二フラップ片（４２）を有する天面板（４０）を連設して、前記左右の第二側面板（３０、３０）の内、前記天面板（４０）と連設していない第二側面板（３０）の長手方向端縁中央部に凹部（ｆ）を設け、該天面板（４０）と前記第二フラップ片（４２）との連設部に係止突起（ｇ）を設けて、連続面として形成された蓋部を有する組立函である。
【００３１】
さらに、図６に示すように、底面板（１０）の周辺に、左右に第一製函片（２３、２３、２３、２３）を有し、上辺に第一押さえ板（２２、２２）を有する第一側面内板（２１、２１）を連設した前後の第一側面板（２０、２０）と左右の第二側面板（３０、３０）とを折り目線を介して各々連設して、この前後の第一側面板（２０、２０）と左右の第二側面板（３０、３０）との間に、斜めの谷折り線（ｄ、ｄ、ｄ、ｄ）により２分された第二製函片（２４、２４、２４、２４）を折り目線を介して各々連設して、この第二製函片（２４、２４、２４、２４）を函の内方になるように谷折りして起立させるとともに前後の第一側面板（２０、２０）と第一側面内板（２１、２１）との間に各々折り込み、前記第一側面内板（２１、２１）の左右の第一製函片（２３、２３、２３、２３）を外側に折り曲げて、左右の第二側面板（３０、３０）に各々当接し、前記前後の第一側面内板（２１、２１）の上辺の第一押さえ板（２２、２２）を外側に折り曲げて、底面板（１０）に
各々当接し、上面を開放した組立函において、前記第一製函片（２３、２３、２３、２３）と前記前後の第一側面内板（２１、２１）との連設部および前記前後の第一側面内板（２１、２１）と前記前後の第一押さえ板（２２、２２）との連設部に係止片（ｂ）を各々設け、前記左右の第二側面板（３０、３０）および前記底面板（１０）の前後方向の両端部に前記係止片（ｂ）を係止する係止用折り目線（ｃ）を各々設けてなる身の部分と前記左右の第二側面板（３０、３０）の内、いずれか一方の第二側面板（３０）の端縁に折り目線を介して天面板（５０）を連設し、該天面板（５０）の上辺に左右に第三製函片（６３、６３）を有し、先端に第二押さえ板（６２）を有する第二側面内板（６１）を折り目線を介して連設した第三側面板（６０）と左右の第四側面板（５１、５１）とを折り目線を介して各々連設して、前記第三側面板（６０）と前記左右の第四側面板（５１、５１）との間に、斜めの谷折り線（ｄ、ｄ）により２分された第四製函片（５２、５２）を折り目線を介して各々連設して、前記左右の第三製函片（６３、６３）と前記第二側面内板（６１）との連設部および該第二側面内板（６１）と前記第二押さえ板（６２）との連設部に係止片（ｂ）を各々設け、前記第四製函片（５２、５２）と前記第四側面板（５１、５１）とを連設している折り目線に沿って該第四側面板（５１、５１）側の端部および前記第三側面板（６０）と前記天面板（５０）とを連設している折り目線に沿って該天面板（５０）側の端部に前記係止片（ｂ）を係止する係止用折り目線（ｃ）を各々設けて、連続面として形成された蓋部を有する組立函である。
【００３２】
以下に、本発明の具体的実施例を挙げて、さらに詳しく説明する。
【実施例１】
【００３３】
本発明の組立函は、坪量が３１０ｇ／ｍ2のコートマニラボールを使用し、図１に示すように、底面板（１０）の周辺に、左右に第一製函片（２３、２３、２３、２３）を有し、上辺に第一押さえ板（２２、２２）を有する第一側面内板（２１、２１）を連設した前後の第一側面板（２０、２０）と左右の第二側面板（３０、３０）とを折り目線を介して各々連設して、この前後の第一側面板（２０、２０）と左右の第二側面板（３０、３０）との間に、斜めの谷折り線（ｄ、ｄ、ｄ、ｄ）により２分された第二製函片（２４、２４、２４、２４）を折り目線を介して各々連設して、前記第一製函片（２３、２３、２３、２３）と前記前後の第一側面内板（２１、２１）との連設部および前記前後の第一側面内板（２１、２１）と前記前後の第一押さえ板（２２、２２）との連設部に長さ１０ｍｍ×切れ込み幅２ｍｍの係止片（ｂ）を各々設け、前記左右の第二側面板（３０、３０）および前記底面板（１０）の前後方向の両端部に前記係止片（ｂ）を係止する長さ１０ｍｍ×幅２ｍｍ×高さ１ｍｍの係止用折り目線（ｃ）を各々設けた身（仕上がり寸法で長さ１１０ｍｍ×幅９０ｍｍ×高さ２７ｍｍ）と蓋（仕上がり寸法で長さ１１５ｍｍ×幅９３ｍｍ×高さ２７ｍｍ）用の各々のブランクａを作製した。
【００３４】
次に、図２に示すように、各々の前記ブランクａの第二製函片（２４、２４、２４、２４）を函の内方になるように谷折りして起立させるとともに前後の第一側面板（２０、２０）と第一側面内板（２１、２１）との間に各々折り込み、前記第一側面内板（２１、２１）の左右の第一製函片（２３、２３、２３、２３）を外側に折り曲げて、左右の第二側面板（３０、３０）に各々当接し、前記前後の第一側面内板（２１、２１）の上辺の第一押さえ板（２２、２２）を外側に折り曲げて、底面板（１０）に各々当接し、係止片（ｂ）と係止用折り目線（ｃ）を完全に係止した上面を開放した身と蓋用の組立函を作製した。
【００３５】
この組立函を使用して身と蓋をセットにした贈答函に菓子を入れ、輸送中の振動や展示、販売中の取り扱いなどで係止部分が外れるか否かの実験を行った結果、組み立てた折込み部分の戻りもなく、係止部分が外れる問題は全く発生しなかった。
【実施例２】
【００３６】
本発明の組立函は、坪量が３１０ｇ／ｍ2のコートマニラボールを使用し、図５に示すように、底面板（１０）の周辺に、左右に第一製函片（２３、２３、２３、２３）を有し、上辺に第一押さえ板（２２、２２）を有する第一側面内板（２１、２１）を連設した前後の第一側面板（２０、２０）と左右の第二側面板（３０、３０）とを折り目線を介して各々連設して、この前後の第一側面板（２０、２０）と左右の第二側面板（３０、３０）との間に、斜めの谷折り線（ｄ、ｄ、ｄ、ｄ）により２分された第二製函片（２４、２４、２４、２４）を折り目線を介して各々連設して、前記第一製函片（２３、２３、２３、２３）と前記前後の第一側面内板（２１、２１）との連設部および前記前後の第一側面内板（２１、２１）と前記前後の第一押さえ板（２２、２２）との連設部に長さ１０ｍｍ×切れ込み幅２ｍｍの係止片（ｂ）を各々設け、前記左右の第二側面板（３０、３０）および前記底面板（１０）の前後方向の両端部に前記係止片（ｂ）を係止する長さ１０ｍｍ×幅２ｍｍ×高さ１ｍｍの係止用折り目線（ｃ）を各々設けて身となる部分を作製した。
【００３７】
次に、前記左右の第二側面板（３０、３０）の内、右側の第二側面板（３０）の右端に折り目線を介して、左右に第一フラップ片（４１、４１）と、先端に第二フラップ片（４２）を有する天面板（４０）を連設し、前記左右の第二側面板（３０、３０）の内、前記天面板（４０）と連設していない左側の第二側面板（３０）の長手方向端縁中央部に凹部（ｆ）を設け、該天面板（４０）と前記第二フラップ片（４２）との連設部に係止突起（ｇ）を設けて、連続面として形成された蓋となる部分を作製した。
【００３８】
このような身と蓋部を一体化したブランクａの第二製函片（２４、２４、２４、２４）を函の内方になるように谷折りして起立させるとともに前後の第一側面板（２０、２０）と第一側面内板（２１、２１）との間に各々折り込み、前記第一側面内板（２１、２１）の左右の第一製函片（２３、２３、２３、２３）を外側に折り曲げて、左右の第二側面板（３０、３０）に各々当接し、前記前後の第一側面内板（２１、２１）の上辺の第一押さえ板（２２、２２）を外側に折り曲げて、底面板（１０）に各々当接し、係止片（ｂ）と係止用折り目線（ｃ）が完全に係止した身となる部分を作製した。
【００３９】
次に、天面板（４０）と、該天面板（４０）の左右に折り目線を介して連設された第一フラップ片（４１、４１）、および先端に連設された第二フラップ片（４２）を各々内側に折り曲げて被せ蓋を作製し、身と蓋を一体化した組立函を作製した。
【００４０】
この被せ蓋付き組立函を使用した贈答函に菓子を入れ、輸送中の振動や展示、販売中の取り扱いなどで身となる懸止部分が外れるか否かの実験を行った結果、組み立てた折込み部分の戻りもなく、身となる係止部分が外れる問題は全く発生しなかった。
【実施例３】
【００４１】
本発明の組立函は、坪量が３１０ｇ／ｍ2のコートマニラボールを使用し、図６に示すように、底面板（１０）の周辺に、左右に第一製函片（２３、２３、２３、２３）を有し、上辺に第一押さえ板（２２、２２）を有する第一側面内板（２１、２１）を連設した前後の第一側面板（２０、２０）と左右の第二側面板（３０、３０）とを折り目線を介して各々連設して、この前後の第一側面板（２０、２０）と左右の第二側面板（３０、３０）との間に、斜めの谷折り線（ｄ、ｄ、ｄ、ｄ）により２分された第二製函片（２４、２４、２４、２４）を折り目線を介して各々連設して、前記第一製函片（２３、２３、２３、２３）と前記前後の第一側面内板（２１、２１）との連設部および前記前後の第一側面内板（２１、２１）と前記前後の第一押さえ板（２２、２２）との連設部に長さ１０ｍｍ×切れ込み幅２ｍｍの係止片（ｂ）を各々設け、前記左右の第二側面板（３０、３０）および前記底面板（１０）の前後方向の両端部に前記係止片（ｂ）を係止する長さ１０ｍｍ×幅２ｍｍ×高さ１ｍｍの係止用折り目線（ｃ）を各々設けて身となる部分を作製した。
【００４２】
次に、前記左右の第二側面板（３０、３０）の内、右側の第二側面板（３０）の右端に折り目線を介して天面板（５０）を連設し、該天面板（５０）の上辺に左右に第三製函片（６３、６３）を有し、先端に第二押さえ板（６２）を有する第二側面内板（６１）を折り目線を介して連設した第三側面板（６０）と左右の第四側面板（５１、５１）とを折り目線を介して各々連設して、前記第三側面板（６０）と前記左右の第四側面板（５１、５１）との間に、斜めの谷折り線（ｄ、ｄ）により２分された第四製函片（５２、５２）を折り目線を介して各々連設して、前記左右の第三製函片（６３、６３）と前記第二側面内板（６１）との連設部および該第二側面内板（６１）と前記第二押さえ板（６２）との連設部に長さ１０ｍｍ×切れ込み幅２ｍｍの係止片（ｂ）を各々設け、前記斜めの谷折り線（ｄ、ｄ）により２分された第四製函片（５２、５２）と前記第四側面板（５１、５１）とを連設している折り目線に沿って該第四側面板（５１、５１）側の端部および前記第三側面板（６０）と前記天面板（５０）と連設している折り目線に沿って前記天面板（５０）側の端部に前記係止片（ｂ）を係止する長さ１０ｍｍ×幅２ｍｍ×高さ１ｍｍの係止用折り目線（ｃ）を各々設けて、連続面として形成された蓋となる部分を作製した。
【００４３】
このような身と蓋部を一体化したブランクａの第二製函片（２４、２４、２４、２４）を函の内方になるように谷折りして起立させるとともに前後の第一側面板（２０、２０）と第一側面内板（２１、２１）との間に各々折り込み、前記第一側面内板（２１、２１）の左右の第一製函片（２３、２３、２３、２３）を外側に折り曲げて、左右の第二側面板（３０、３０）に各々当接し、前記前後の第一側面内板（２１、２１）の上辺の第一押さえ板（２２、２２）を外側に折り曲げて、底面板（１０）に各々当接し、係止片（ｂ）と係止用折り目線（ｃ）が完全に係止した身となる部分を作製した。
【００４４】
次に、第四製函片（５２、５２）を函の内方になるように谷折りして起立させるとともに第三側面板（６０）と第二側面内板（６１）との間に折り込み、該第二側面内板（６１）の左右の第三製函片（６３、６３）を外側に折り曲げて、左右の第四側面板（５１、５１）に当接し、同様に前記第二側面内板（６１）の先端の第二押さえ板（６２）を外側に折り曲げて、天面板（５０）に当接し、係止片（ｂ）と係止用折り目線（ｃ）とを完全に係止して被せ蓋を作製し、身と蓋を一体化した組立函を作製した。
【００４５】
この被せ蓋付き組立函を使用した贈答函に菓子を入れ、輸送中の振動や展示、販売中の取り扱いなどで身となる懸止部分が外れるか否かの実験を行った結果、組み立てた折込み部分の戻りもなく、身と蓋共に係止部分が外れる問題は全く発生しなかった。
【実施例４】
【００４６】
本発明の組立函は、マイクロフルートからなる段ボールを使用し、図１に示すように、底面板（１０）の周辺に、左右に第一製函片（２３、２３、２３、２３）を有し、上辺に第一押さえ板（２２、２２）を有する第一側面内板（２１、２１）を連設した前後の第一側面板（２０、２０）と左右の第二側面板（３０、３０）とを折り目線を介して各々連設して、この前後の第一側面板（２０、２０）と左右の第二側面板（３０、３０）との間に、斜めの谷折り線（ｄ、ｄ、ｄ、ｄ）により２分された第二製函片（２４、２４、２４、２４）を折り目線を介して各々連設して、前記第一製函片（２３、２３、２３、２３）と前記前後の第一側面内板（２１、２１）との連設部および前記前後の第一側面内板（２１、２１）と前記前後の第一押さえ板（２２、２２）との連設部に長さ１０ｍｍ×切れ込み幅３ｍｍの係止片（ｂ）を各々設け、前記左右の第二側面板（３０、３０）および前記底面板（１０）の前後方向の両端部に前記係止片（ｂ）を係止する長さ１０ｍｍ×幅３ｍｍ×高さ２ｍｍの係止用折り目線（ｃ）を各々設けた身（仕上がり寸法で長さ１１０ｍｍ×幅９０ｍｍ×高さ２７ｍｍ）と蓋（仕上がり寸法で長さ１１７ｍｍ×幅９５ｍｍ×高さ２７ｍｍ）用の各々のブランクａを作製した。
【００４７】
次に、図２に示すように、各々の前記ブランクａの第二製函片（２４、２４、２４、２４）を函の内方になるように谷折りして起立させるとともに前後の第一側面板（２０、２０）と第一側面内板（２１、２１）との間に各々折り込み、前記第一側面内板（２１、２１）の左右の第一製函片（２３、２３、２３、２３）を外側に折り曲げて、左右の第二側面板（３０、３０）に各々当接し、前記前後の第一側面内板（２１、２１）の上辺の第一押さえ板（２２、２２）を外側に折り曲げて、底面板（１０）に各々当接し、係止片（ｂ）と係止用折り目線（ｃ）を完全に係止した上面を開放した組立函を作製した。
【００４８】
この組立函を使用して身と蓋をセットにした贈答函に菓子を入れ、輸送中の振動や展示、販売中の取り扱いなどで係止部分が外れるか否かの実験を行った結果、組み立てた折込み部分の戻りもなく、係止部分が外れる問題は全く発生しなかった。
【実施例５】
【００４９】
本発明の組立函は、マイクロフルートからなる段ボールを使用し、図５に示すように、底面板（１０）の周辺に、左右に第一製函片（２３、２３、２３、２３）を有し、上辺に第一押さえ板（２２、２２）を有する第一側面内板（２１、２１）を連設した前後の第一側面板（２０、２０）と左右の第二側面板（３０、３０）とを折り目線を介して各々連設して、この前後の第一側面板（２０、２０）と左右の第二側面板（３０、３０）との間に、斜めの谷折り線（ｄ、ｄ、ｄ、ｄ）により２分された第二製函片（２４、２４、２４、２４）を折り目線を介して各々連設して、前記第一製函片（２３、２３、２３、２３）と前記前後の第一側面内板（２１、２１）との連設部および前記前後の第一側面内板（２１、２１）と前記前後の第一押さえ板（２２、２２）との連設部に長さ１０ｍｍ×切れ込み幅３ｍｍの係止片（ｂ）を各々設け、前記左右の第二側面板（３０、３０）および前記底面板（１０）の前後方向の両端部に前記係止片（ｂ）を係止する長さ１０ｍｍ×幅３ｍｍ×高さ２ｍｍの係止用折り目線（ｃ）を各々設けて身となる部分を作製した。
【００５０】
次に、前記左右の第二側面板（３０、３０）の内、右側の第二側面板（３０）の右端に折り目線を介して、左右に第一フラップ片（４１、４１）と、先端に第二フラップ片（４２）を有する天面板（４０）を連設し、前記左右の第二側面板（３０、３０）の内、前記天面板（４０）と連設していない左側の第二側面板（３０）の長手方向端縁中央部に凹部（ｆ）を設け、該天面板（４０）と前記第二フラップ片（４２）との連設部に係止突起（ｇ）を設けて、連続面として形成された蓋となる部分を作製した。
【００５１】
このような身と蓋部を一体化したブランクａの第二製函片（２４、２４、２４、２４）を函の内方になるように谷折りして起立させるとともに前後の第一側面板（２０、２０）と第一側面内板（２１、２１）との間に各々折り込み、前記第一側面内板（２１、２１）の左右の第一製函片（２３、２３、２３、２３）を外側に折り曲げて、左右の第二側面板（３０、３０）に各々当接し、前記前後の第一側面内板（２１、２１）の上辺の第一押さえ板（２２、２２）を外側に折り曲げて、底面板（１０）に各々当接し、係止片（ｂ）と係止用折り目線（ｃ）が完全に係止した身となる部分を作製した。
【００５２】
次に、天面板（４０）と、該天面板（４０）の左右に折り目線を介して連設された第一フラップ片（４１、４１）、および先端に連設された第二フラップ片（４２）を各々内側に折り曲げて被せ蓋を作製し、身と蓋を一体化した組立函を作製した。
【００５３】
この被せ蓋付き組立函を使用した贈答函に菓子を入れ、輸送中の振動や展示、販売中の取り扱いなどで身となる懸止部分が外れるか否かの実験を行った結果、組み立てた折込み部分の戻りもなく、身となる係止部分が外れる問題は全く発生しなかった。
【実施例６】
【００５４】
本発明の組立函は、マイクロフルートからなる段ボールを使用し、図６に示すように、底面板（１０）の周辺に、左右に第一製函片（２３、２３、２３、２３）を有し、上辺に第一押さえ板（２２、２２）を有する第一側面内板（２１、２１）を連設した前後の第一側面板（２０、２０）と左右の第二側面板（３０、３０）とを折り目線を介して各々連設して、この前後の第一側面板（２０、２０）と左右の第二側面板（３０、３０）との間に、斜めの谷折り線（ｄ、ｄ、ｄ、ｄ）により２分された第二製函片（２４、２４、２４、２４）を折り目線を介して各々連設して、前記第一製函片（２３、２３、２３、２３）と前記前後の第一側面内板（２１、２１）との連設部および前記前後の第一側面内板（２１、２１）と前記前後の第一押さえ板（２２、２２）との連設部に長さ１０ｍｍ×切れ込み幅３ｍｍの係止片（ｂ）を各々設け、前記左右の第二側面板（３０、３０）および前記底面板（１０）の前後方向の両端部に前記係止片（ｂ）を係止する長さ１０ｍｍ×幅３ｍｍ×高さ２ｍｍの係止用折り目線（ｃ）を各々設けて身となる部分を作製した。
【００５５】
次に、前記左右の第二側面板（３０、３０）の内、右側の第二側面板（３０）の右端に折り目線を介して天面板（５０）を連設し、該天面板（５０）の上辺に左右に第三製函片（６３、６３）を有し、先端に第二押さえ板（６２）を有する第二側面内板（６１）を折り目線を介して連設した第三側面板（６０）と左右の第四側面板（５１、５１）とを折り目線を介して各々連設して、前記第三側面板（６０）と前記左右の第四側面板（５１、５１）との間に、斜めの谷折り線（ｄ、ｄ）により２分された第四製函片（５２、５２）を折り目線を介して各々連設して、前記左右の第三製函片（６３、６３）と前記第二側面内板（６１）との連設部および該第二側面内板（６１）と前記第二押さえ板（６２）との連設部に長さ１０ｍｍ×切れ込み幅３ｍｍの係止片（ｂ）を各々設け、前記斜めの谷折り線（ｄ、ｄ）により２分された第四製函片（５２、５２）と前記第四側面板（５１、５１）とを連設している折り目線に沿って該第四側面板（５１、５１）側の端部および前記第三側面板（６０）と前記天面板（５０）と連設している折り目線に沿って前記天面板（５０）側の端部に前記係止片（ｂ）を係止する長さ１０ｍｍ×幅３ｍｍ×高さ２ｍｍの係止用折り目線（ｃ）を各々設けて、連続面として形成された蓋となる部分を作製した。
【００５６】
このような身と蓋部を一体化したブランクａの第二製函片（２４、２４、２４、２４）を函の内方になるように谷折りして起立させるとともに前後の第一側面板（２０、２０）と第一側面内板（２１、２１）との間に各々折り込み、前記第一側面内板（２１、２１）の左右の第一製函片（２３、２３、２３、２３）を外側に折り曲げて、左右の第二側面板（３０、３０）に各々当接し、前記前後の第一側面内板（２１、２１）の上辺の第一押さえ板（２２、２２）を外側に折り曲げて、底面板（１０）に各々当接し、係止片（ｂ）と係止用折り目線（ｃ）が完全に係止した身となる部分を作製した。
【００５７】
次に、第四製函片（５２、５２）を函の内方になるように谷折りして起立させるとともに第三側面板（６０）と第二側面内板（６１）との間に折り込み、該第二側面内板（６１）の左右の第三製函片（６３、６３）を外側に折り曲げて、左右の第四側面板（５１、５１）に当接し、同様に前記第二側面内板（６１）の先端の第二押さえ板（６２）を外側に折り曲げて、天面板（５０）に当接し、係止片（ｂ）と係止用折り目線（ｃ）とを完全に係止して被せ蓋を作製し、身と蓋を一体化した組立函を作製した。
【００５８】
この被せ蓋付き組立函を使用した贈答函に菓子を入れ、輸送中の振動や展示、販売中の取り扱いなどで身となる懸止部分が外れるか否かの実験を行った結果、組み立てた折込み部分の戻りもなく、身と蓋共に係止部分が外れる問題は全く発生しなかった。
【実施例７】
【００５９】
本発明の組立函は、Ｅフルートからなる段ボールを使用し、図１に示すように、底面板
（１０）の周辺に、左右に第一製函片（２３、２３、２３、２３）を有し、上辺に第一押さえ板（２２、２２）を有する第一側面内板（２１、２１）を連設した前後の第一側面板（２０、２０）と左右の第二側面板（３０、３０）とを折り目線を介して各々連設して、この前後の第一側面板（２０、２０）と左右の第二側面板（３０、３０）との間に、斜めの谷折り線（ｄ、ｄ、ｄ、ｄ）により２分された第二製函片（２４、２４、２４、２４）を折り目線を介して各々連設して、前記第一製函片（２３、２３、２３、２３）と前記前後の第一側面内板（２１、２１）との連設部および前記前後の第一側面内板（２１、２１）と前記前後の第一押さえ板（２２、２２）との連設部に長さ１０ｍｍ×切れ込み幅４ｍｍの係止片（ｂ）を各々設け、前記左右の第二側面板（３０、３０）および前記底面板（１０）の前後方向の両端部に前記係止片（ｂ）を係止する長さ１０ｍｍ×幅４ｍｍ×高さ３ｍｍの係止用折り目線（ｃ）を各々設けた連続面として形成された身（仕上がり寸法で長さ１１０ｍｍ×幅９０ｍｍ×高さ２７ｍｍ）と蓋（仕上がり寸法で長さ１１９ｍｍ×幅９７ｍｍ×高さ２７ｍｍ）用の各々のブランクａを作製した。
【００６０】
次に、図２に示すように、前記ブランクａの第二製函片（２４、２４、２４、２４）を函の内方になるように谷折りして起立させるとともに前後の第一側面板（２０、２０）と第一側面内板（２１、２１）との間に各々折り込み、前記第一側面内板（２１、２１）の左右の第一製函片（２３、２３、２３、２３）を外側に折り曲げて、左右の第二側面板（３０、３０）に各々当接し、前記前後の第一側面内板（２１、２１）の上辺の第一押さえ板（２２、２２）を外側に折り曲げて、底面板（１０）に各々当接し、係止片（ｂ）と係止用折り目線（ｃ）を完全に係止した上面を開放した組立函を作製した。
【００６１】
この組立函を使用して身と蓋をセットにした贈答函に菓子を入れ、輸送中の振動や展示、販売中の取り扱いなどで係止部分が外れるか否かの実験を行った結果、組み立てた折込み部分の戻りもなく、係止部分が外れる問題は全く発生しなかった。
【実施例８】
【００６２】
本発明の組立函は、Ｅフルートからなる段ボールを使用し、図５に示すように、底面板（１０）の周辺に、左右に第一製函片（２３、２３、２３、２３）を有し、上辺に第一押さえ板（２２、２２）を有する第一側面内板（２１、２１）を連設した前後の第一側面板（２０、２０）と左右の第二側面板（３０、３０）とを折り目線を介して各々連設して、この前後の第一側面板（２０、２０）と左右の第二側面板（３０、３０）との間に、斜めの谷折り線（ｄ、ｄ、ｄ、ｄ）により２分された第二製函片（２４、２４、２４、２４）を折り目線を介して各々連設して、前記第一製函片（２３、２３、２３、２３）と前記前後の第一側面内板（２１、２１）との連設部および前記前後の第一側面内板（２１、２１）と前記前後の第一押さえ板（２２、２２）との連設部に長さ１０ｍｍ×切れ込み幅４ｍｍの係止片（ｂ）を各々設け、前記左右の第二側面板（３０、３０）および前記底面板（１０）の前後方向の両端部に前記係止片（ｂ）を係止する長さ１０ｍｍ×幅４ｍｍ×高さ３ｍｍの係止用折り目線（ｃ）を各々設けて身となる部分を作製した。
【００６３】
次に、前記左右の第二側面板（３０、３０）の内、右側の第二側面板（３０）の右端に折り目線を介して、左右に第一フラップ片（４１、４１）と、先端に第二フラップ片（４２）を有する天面板（４０）を連設し、前記左右の第二側面板（３０、３０）の内、前記天面板（４０）と連設していない左側の第二側面板（３０）の長手方向端縁中央部に凹部（ｆ）を設け、該天面板（４０）と前記第二フラップ片（４２）との連設部に係止突起（ｇ）を設けて、連続面として形成された蓋となる部分を作製した。
【００６４】
このような身と蓋部を一体化したブランクａの第二製函片（２４、２４、２４、２４）を函の内方になるように谷折りして起立させるとともに前後の第一側面板（２０、２０）と第一側面内板（２１、２１）との間に各々折り込み、前記第一側面内板（２１、２１）
の左右の第一製函片（２３、２３、２３、２３）を外側に折り曲げて、左右の第二側面板（３０、３０）に各々当接し、前記前後の第一側面内板（２１、２１）の上辺の第一押さえ板（２２、２２）を外側に折り曲げて、底面板（１０）に各々当接し、係止片（ｂ）と係止用折り目線（ｃ）が完全に係止した身となる部分を作製した。
【００６５】
次に、天面板（４０）と、該天面板（４０）の左右に折り目線を介して連設された第一フラップ片（４１、４１）、および先端に連設された第二フラップ片（４２）を各々内側に折り曲げて被せ蓋を作製し、身と蓋を一体化した組立函を作製した。
【００６６】
この被せ蓋付き組立函を使用した贈答函に菓子を入れ、輸送中の振動や展示、販売中の取り扱いなどで身となる懸止部分が外れるか否かの実験を行った結果、組み立てた折込み部分の戻りもなく、身となる係止部分が外れる問題は全く発生しなかった。
【実施例９】
【００６７】
本発明の組立函は、Ｅフルートからなる段ボールを使用し、図６に示すように、底面板（１０）の周辺に、左右に第一製函片（２３、２３、２３、２３）を有し、上辺に第一押さえ板（２２、２２）を有する第一側面内板（２１、２１）を連設した前後の第一側面板（２０、２０）と左右の第二側面板（３０、３０）とを折り目線を介して各々連設して、この前後の第一側面板（２０、２０）と左右の第二側面板（３０、３０）との間に、斜めの谷折り線（ｄ、ｄ、ｄ、ｄ）により２分された第二製函片（２４、２４、２４、２４）を折り目線を介して各々連設して、前記第一製函片（２３、２３、２３、２３）と前記前後の第一側面内板（２１、２１）との連設部および前記前後の第一側面内板（２１、２１）と前記前後の第一押さえ板（２２、２２）との連設部に長さ１０ｍｍ×切れ込み幅４ｍｍの係止片（ｂ）を各々設け、前記左右の第二側面板（３０、３０）および前記底面板（１０）の前後方向の両端部に前記係止片（ｂ）を係止する長さ１０ｍｍ×幅４ｍｍ×高さ３ｍｍの係止用折り目線（ｃ）を各々設けて身となる部分を作製した。
【００６８】
次に、前記左右の第二側面板（３０、３０）の内、右側の第二側面板（３０）の右端に折り目線を介して天面板（５０）を連設し、該天面板（５０）の上辺に左右に第三製函片（６３、６３）を有し、先端に第二押さえ板（６２）を有する第二側面内板（６１）を折り目線を介して連設した第三側面板（６０）と左右の第四側面板（５１、５１）とを折り目線を介して各々連設して、前記第三側面板（６０）と前記左右の第四側面板（５１、５１）との間に、斜めの谷折り線（ｄ、ｄ）により２分された第四製函片（５２、５２）を折り目線を介して各々連設して、前記左右の第三製函片（６３、６３）と前記第二側面内板（６１）との連設部および該第二側面内板（６１）と前記第二押さえ板（６２）との連設部に長さ１０ｍｍ×切れ込み幅４ｍｍの係止片（ｂ）を各々設け、前記斜めの谷折り線（ｄ、ｄ）により２分された第四製函片（５２、５２）と前記第四側面板（５１、５１）とを連設している折り目線に沿って該第四側面板（５１、５１）側の端部および前記第三側面板（６０）と前記天面板（５０）と連設している折り目線に沿って前記天面板（５０）側の端部に前記係止片（ｂ）を係止する長さ１０ｍｍ×幅４ｍｍ×高さ３ｍｍの係止用折り目線（ｃ）を各々設けて、連続面として形成された蓋となる部分を作製した。
【００６９】
このような身と蓋部を一体化したブランクａの第二製函片（２４、２４、２４、２４）を函の内方になるように谷折りして起立させるとともに前後の第一側面板（２０、２０）と第一側面内板（２１、２１）との間に各々折り込み、前記第一側面内板（２１、２１）の左右の第一製函片（２３、２３、２３、２３）を外側に折り曲げて、左右の第二側面板（３０、３０）に各々当接し、前記前後の第一側面内板（２１、２１）の上辺の第一押さえ板（２２、２２）を外側に折り曲げて、底面板（１０）に各々当接し、係止片（ｂ）と係止用折り目線（ｃ）が完全に係止した身となる部分を作製した。
【００７０】
次に、第四製函片（５２、５２）を函の内方になるように谷折りして起立させるとともに第三側面板（６０）と第二側面内板（６１）との間に折り込み、該第二側面内板（６１）の左右の第三製函片（６３、６３）を外側に折り曲げて、左右の第四側面板（５１、５１）に当接し、同様に前記第二側面内板（６１）の先端の第二押さえ板（６２）を外側に折り曲げて、天面板（５０）に当接し、係止片（ｂ）と係止用折り目線（ｃ）とを完全に係止して被せ蓋を作製し、身と蓋を一体化した組立函を作製した。
【００７１】
この被せ蓋付き組立函を使用した贈答函に菓子を入れ、輸送中の振動や展示、販売中の取り扱いなどで身となる懸止部分が外れるか否かの実験を行った結果、組み立てた折込み部分の戻りもなく、身と蓋共に係止部分が外れる問題は全く発生しなかった。
【図面の簡単な説明】
【００７２】
【図１】本発明に係る組立函のブランクの１実施例を示す平面図である。
【図２】本発明に係る組立函の１実施例を示す斜視図である。
【図３】本発明に係る組立函の第一製函片と前後の第一側面内板との連設部に設けられた係止片と左右の第二側面板の前後方向の両端部に設けられた係止用折り目線との係止状態を示す部分拡大断面図である。
【図４】本発明に係る組立函の前後の第一側面内板と前後の第一押さえ板との連設部に設けられた係止片と底面板の前後方向の両端部に設けられた係止用折り目線との係止状態を示す部分拡大断面図である。
【図５】本発明に係る組立函のブランクの他の実施例を示す平面図である。
【図６】本発明に係る組立函のブランクのまた他の実施例を示す平面図である。
【図７】従来の組立函のブランクの１実施例を示す平面図である。
【図８】従来の組立函のブランクの他の実施例を示す平面図である。
【符号の説明】
【００７３】
１０・・・底面板
２０・・・第一側面板
２１・・・第一側面内板
２２・・・第一押さえ板
２３・・・第一製函片
２４・・・第二製函片
３０・・・第二側面板
３１・・・第三側面内板
３２・・・第三押さえ板
３３・・・糊代片
４０・・・天面板
４１・・・第一フラップ片
４２・・・第二フラップ片
５０・・・天面板
５１・・・第四側面板
５２・・・第四製函片
６０・・・第三側面板
６１・・・第二側面内板
６２・・・第二押さえ板
６３・・・第三製函片
ａ・・・ブランク
ｂ・・・係止片
ｃ・・・係止用折り目線
ｄ・・・斜めの谷折り線（破線）
ｅ・・・糊塗布層
ｆ・・・凹部
ｇ・・・係止突起
【図１】
2005206172.tif 000003
【図２】
2005206172.tif 000004
【図３】
2005206172.tif 000005
【図４】
2005206172.tif 000006
【図５】
2005206172.tif 000007
【図６】
2005206172.tif 000008
【図７】
2005206172.tif 000009
【図８】
2005206172.tif 000010